(57)【要約】【課題】被支持物と基礎構造物との三軸方向の位置ずれを吸収できるようにし、被支持物の支柱等を切断などの加工を行うことなく取り付けられるようにして、施工が容易な基礎組立体およびそれを用いた完成構造物を提供する。【解決手段】二以上の貫通孔１２が貫通している基礎構造物１０と、基礎構造物の各貫通孔にそれぞれ嵌挿されて地中に打ち込まれることになる複数の杭２０とを備え、基礎構造物は、中央部１１に設けられて被支持物４０が取り付けられることになる接続部材３０を備え、接続部材の調整機能により、被支持物と基礎構造物との高さ方向の位置ずれ、および高さ方向に直交する面内での位置ずれを吸収できるように構成された基礎組立体と、それを用いた完成構造物である。【選択図】図１
2014015826.tif 000002
【特許請求の範囲】
【請求項１】
高さ方向に対して角度を持ち且つ互いに干渉することなく異なる方向に延びる二以上の貫通孔が、一端が上記高さ方向の一方側の中央部周囲に開口し他端が上記高さ方向の他方側に開口するように貫通している基礎構造物と、
上記基礎構造物の上記各貫通孔にそれぞれ嵌挿されて地中に打ち込まれることになる複数の杭とを備え、
上記基礎構造物は、上記中央部に設けられて被支持物が取り付けられることになる接続部材を備え、
上記接続部材の調整機能により、上記被支持物と上記基礎構造物との上記高さ方向の位置ずれ、および上記高さ方向に直交する面内での位置ずれを吸収できるように構成されている基礎組立体。
【請求項２】
上記接続部材が、
一端側が上記高さ方向に突出するように他端側が上記基礎構造物の上記中央部に埋設された第１ボルトと、
上記高さ方向に向いており、上記第１ボルトが貫通する第１長孔が設けられた第１板と、
上記第１板の上記高さ方向の両側で上記第１ボルトに嵌まる第１ナットおよび第２ナットと、
上記高さ方向に向いており、上記第１板よりも上記基礎構造物から遠い側に配置されて上記第１板に接続され、上記被支持物の取り付け部位と共締めすることになる共締めボルトおよび共締めナットのうち上記共締めボルトが通る第２長孔が設けられた第２板とを備え、
上記第１長孔の長手方向と上記第２長孔の長手方向とが立体的に交差するように設けられている請求項１の基礎組立体。
【請求項３】
複数の上記基礎構造物が地面付近にそれぞれ配置されており、上記複数の杭が上記各基礎構造物の上記各貫通孔にそれぞれ嵌挿されて地中に打ち込まれており、
上記被支持物における上記複数の接続部材への上記複数の取り付け部位が上記高さ方向に揃っており、
上記複数の基礎構造物のうち、対応する上記取り付け部位との位置ずれがある上記基礎構造物では、上記接続部材の調整機能により、上記被支持物と上記基礎構造物との上記高さ方向の位置ずれ、および上記高さ方向に直交する面内での位置ずれのうち少なくとも一つの位置ずれを吸収している請求項１又は請求項２の基礎組立体を用いた完成構造物。
【請求項４】
上記被支持物が、太陽光発電を行う板状の太陽電池パネルと、この太陽電池パネルの上記高さ方向の上記他方側に配置され、上記太陽電池パネルを支持する支持構造とを備えた太陽電池発電装置であり、
上記複数の取り付け部位が上記支持構造にある請求項３の完成構造物。
【発明の詳細な説明】
【技術分野】
【０００１】
本発明は、構造物の基礎の技術分野に属し、構造物の基礎を構成する基礎組立体と、それを用いて組み立てられた完成構造物に関する。
【背景技術】
【０００２】
特許文献１は簡易基礎を開示している。これは被支持体を支持するための金属製の簡易基礎であって、土壌中に傾斜した状態で打ち込まれる１以上の打ち込み杭と、上記打ち込み杭が挿入され、上記被支持体を上部で取り付けるための取り付け金具を有する支持部とを備え、上記支持部は、中空の略球体状又は略楕円球体状であり、上記支持部の下部が地面に接するように載置され、上記打ち込み杭は、上記被支持体を取り付ける部分から上記打ち込み杭が挿入される部分に向けて碗状に傾斜した部分に挿入される。また、上記支持部は、内部が視認できるように上部に設けられた穴部と、下方から上記穴部に向かって挿入されるアンカーボルトと、上記アンカーボルトを貫通させると共に、上記穴部を閉じるための蓋部とを含んでいる。さらに、上記蓋部の外径の少なくとも一部は、上記穴部の内径の少なくとも一部よりも小さい。そして、上記特許文献１は、上記簡易基礎を、緑地帯や、湿地帯、沼地帯、河川敷、里山などに、橋や歩道、階段、柵、ベンチ、テーブル、遊具などの建造物を構築する場合に用いることを開示している。特許文献２も、この種の簡易基礎を開示している。そして、上記特許文献２は、上記簡易基礎を、公園における遊具や東屋、フェンス、仮設住宅などの比較的簡易な構造物の基礎として用いることを開示している。
【先行技術文献】
【特許文献】
【０００３】
【特許文献１】特許第４３３５９５８号公報
【特許文献２】特開２００７−２４７２４９号公報
【発明の概要】
【発明が解決しようとする課題】
【０００４】
このような簡易基礎を用いて構造物を施工する場合、第１の工程として、施工現場で、複数の上記支持部を、少なくともその下部を地中に埋め込むことで土地にそれぞれ配置し、上記各支持部に上記複数の打ち込み杭を挿入し土壌中に傾斜した状態で打ち込むことを行う。次いで、第２の工程として、上記各支持部ごとに上記取り付け金具の高さ位置を測定して上記各支持部に取り付けられる上記被支持物の支柱等の寸法をそれぞれ決めることを行う。次いで、第３の工程として、例えば工場等で、上記支柱等の加工を行う。すなわち、上記各支柱等が上記施工現場で割り出した長さになるよう上記各支柱等にそれぞれ切断などの加工を行う。そして、第４の工程として、上記被支持物の上記支柱等を現場に搬入し、それらを上記各支持部の上にそれぞれ取り付け、上記構造物を構築する。
【０００５】
しかし、上記従来の施工方法の場合、施工段階で上記被支持物の上記支柱等にそれぞれ切断などの加工を行って長さを調整するので、手間がかかり、作業性がよくないという問題がある。特に、上記被支持物の上記支柱等が多数あるときは、これらの支柱等の加工が非常な手間となり、施工が困難を極める。
【０００６】
本発明は、このような点に着目してなされたものであり、その目的とするところは、上記従来の支持部の分野に属していて例えば少なくとも一部を地中に埋め込み、地面に置き、又は土地から浮かせるなどして地面付近に配置される基礎構造物に、被支持物が取り付けられることになる接続部材を設け、上記被支持物と上記基礎構造物との三軸方向の位置ずれを吸収できるようにし、上記被支持物を切断などの加工を行うことなく取り付けられるようにして、施工が容易な基礎組立体およびそれを用いた完成構造物を提供することにある。
【０００７】
ところで、上記被支持物が、板状部材で例示されるように受圧面積が大きな物体である場合、これをコンクリートブロック等を用いた一般的な基礎の上に固定して土地に設置すると、例えば風、水などの圧力により外力を受けたときに上記被支持物が上記基礎と共に上記外力を受ける前の位置から沈み込み又は浮き上がるおそれがある。本発明者は、このように受圧面積が大きな物体を支持するための基礎として、上記従来の支持部のように上記杭で土地に固定される基礎構造物が好適であることに着目し、このような基礎として上記基礎組立体を用いることを提案し、本発明の基礎組立体およびそれを用いた完成構造物を提案する。
【課題を解決するための手段】
【０００８】
上記目的を達成するため、本発明の第１の基礎組立体は、
高さ方向に対して角度を持ち且つ互いに干渉することなく異なる方向に延びる二以上の貫通孔が、一端が上記高さ方向の一方側の中央部周囲に開口し他端が上記高さ方向の他方側に開口するように貫通している基礎構造物と、
上記基礎構造物の上記各貫通孔にそれぞれ嵌挿されて地中に打ち込まれることになる複数の杭とを備え、
上記基礎構造物は、上記中央部に設けられ、被支持物が取り付けられることになる接続部材を備え、
上記接続部材の調整機能により、上記被支持物と上記基礎構造物との上記高さ方向の位置ずれ、および上記高さ方向に直交する面内での位置ずれを吸収できるように構成されている基礎組立体である。
【０００９】
複数の上記基礎構造物を、例えば少なくとも一部を地中に埋め込み、地面に置き、又は土地から浮かせるなどして地面付近にそれぞれ配置し、上記複数の杭を上記各基礎構造物の上記各貫通孔にそれぞれ嵌挿して地中に打ち込み、上記基礎構造物を上記土地に固定する。そのとき、上記複数の基礎構造物の上記高さ方向の位置、および上記高さ方向に直交する面内での位置を出来るだけ揃えておく。一方、上記被支持物の複数の取り付け部位の上記高さ方向の位置、および上記高さ方向に直交する面内での位置は、既に上記複数の基礎構造物の上記高さ方向、および上記高さ方向に直交する面内での位置の揃い方よりも高い精度で揃っているものとする。そして、上記被支持物を上記複数の取り付け部位で上記複数の基礎構造物の上記複数の接続部材にそれぞれ取り付ける。その場合、上記基礎構造物を上記土地に固定したときに上記基礎構造物と当該基礎構造物に対応する上記被支持物の上記取り付け部位とがずれていても、上記接続部材の調整機能により、上記被支持物と上記基礎構造物との上記高さ方向の位置ずれ、および上記高さ方向に直交する面内での位置ずれのうち少なくとも一つの位置ずれを吸収することができる。よって、上記被支持物を、その構成部材に切断などの加工を行うことなく上記基礎構造物に取り付けることができるので、施工が容易である。また、例えば上記被支持物の上記取り付け部位が極めて多数な場合であっても、施工が非常に容易となる。さらに、例えば上記被支持物が板状部材で例示されるように受圧面積が大きな物体である場合であっても、上記基礎構造物を貫通して異なる方向に延びる二以上の杭が地中に打ち込まれているので、例えば風、水などの圧力によりあらゆる方向から上記外力を受けても上記杭が抜けるおそれが少なく、上記被支持物が上記基礎構造物と共に上記外力を受ける前の位置から沈み込み又は浮き上がるおそれが少ない。
【００１０】
本発明の第２の基礎組立体は、上記第１の基礎組立体において、上記接続部材が、
一端側が上記高さ方向に突出するように他端側が上記基礎構造物の上記中央部に埋設された第１ボルトと、
上記高さ方向に向いており、上記第１ボルトが貫通する第１長孔が設けられた第１板と、
上記第１板の上記高さ方向の両側で上記第１ボルトに嵌まる第１ナットおよび第２ナットと、
上記高さ方向に向いており、上記第１板よりも上記基礎構造物から遠い側に配置されて上記第１板に接続され、上記被支持物の取り付け部位と共締めすることになる共締めボルトおよび共締めナットのうち上記共締めボルトが通る第２長孔が設けられた第２板とを備え、
上記第１長孔の長手方向と上記第２長孔の長手方向とが立体的に交差するように設けられている基礎組立体である。
【００１１】
このようにすれば、上記第１ナットおよび上記第２ナットにより上記第１板の上記第１長孔の周縁部を挟んで保持すれば、上記基礎構造物に上記接続部材が保持される。そして、上記第１ボルトに対する上記第１ナットおよび上記第２ナットの上記高さ方向の位置を調整すれば、上記被支持物と上記基礎構造物との上記高さ方向の位置ずれが吸収される。また、上記第１ボルトに対する上記第１長孔の上記長手方向に沿った嵌まり位置と、上記被支持物の上記取り付け部位と共締めされる上記共締めボルトに対する上記第２長孔の上記長手方向に沿った嵌まり位置を調整すれば、上記被支持物と上記基礎構造物との上記高さ方向に直交する面内での位置ずれが吸収される。
【００１２】
本発明の第１の完成構造物は、上記第１又は上記第２の基礎組立体を用いた完成構造物であって、この完成構造物は、
複数の上記基礎構造物が地面付近にそれぞれ配置されており、上記複数の杭が上記各基礎構造物の上記各貫通孔にそれぞれ嵌挿されて地中に打ち込まれており、
上記被支持物における上記複数の接続部材への上記複数の取り付け部位が上記高さ方向に揃っており、
上記複数の基礎構造物のうち、対応する上記取り付け部位との位置ずれがある上記基礎構造物では、上記接続部材の調整機能により、上記被支持物と上記基礎構造物との上記高さ方向の位置ずれ、および上記高さ方向に直交する面内での位置ずれのうち少なくとも一つの位置ずれを吸収している完成構造物である。
【００１３】
上記第１の完成構造物は、上記第１又は上記第２の基礎組立体を用いて組み立てられた完成構造物である。よって、上記第１又は上記第２の基礎組立体が発揮した上記作用を同様に発揮する。よって、施工が容易である。また、例えば上記被支持物の上記取り付け部位が極めて多数な場合であっても、施工が非常に容易となる。さらに、例えば上記被支持物が板状部材で例示されるように受圧面積が大きな物体である場合であっても、上記基礎構造物を貫通して異なる方向に延びる二以上の杭が地中に打ち込まれているので、例えば風、水などの圧力によりあらゆる方向から上記外力を受けても上記杭が抜けるおそれが少なく、上記被支持物が上記基礎構造物と共に上記外力を受ける前の位置から沈み込み又は浮き上がるおそれが少ない。
【００１４】
本発明の第２の完成構造物は、上記第１の完成構造物において、
上記被支持物が、太陽光発電を行う板状の太陽電池パネルと、この太陽電池パネルの上記高さ方向の上記他方側に配置され、上記太陽電池パネルを支持する支持構造とを備えた太陽電池発電装置であり、
上記複数の取り付け部位が上記支持構造にある完成構造物である。
【００１５】
上記第２の完成構造物は、上記第１又は上記第２の基礎組立体を用いて組み立てられた完成構造物である。よって、上記第１又は上記第２の基礎組立体が発揮した上記作用を同様に発揮する。よって、施工が容易である。また、例えば、多数の太陽電池パネルを並べて一連にして施工する場合などのように、上記支持構造における上記各基礎構造物の上記接続部材への複数の上記取り付け部位が極めて多数になったときでも、施工が非常に容易となる。さらに、上記被支持物は、板状部材であって受圧面積が大きな物体である上記太陽電池パネルを備えているが、上記基礎構造物を貫通して異なる方向に延びる二以上の杭が地中に打ち込まれているので、例えば風、水などの圧力によりあらゆる方向から上記外力を受けても上記杭が抜けるおそれが少なく、上記被支持物が上記基礎構造物と共に上記外力を受ける前の位置から沈み込み又は浮き上がるおそれが少ない。
【発明の効果】
【００１６】
本発明の上記第１の基礎組立体は、上記基礎構造物に、上記被支持物が取り付けられることになる上記接続部材を設け、上記被支持物と上記基礎構造物との三軸方向の位置ずれを吸収できるようにしたので、上記被支持物の上記構成部材を切断などの加工を行うことなく取り付けられることから、施工が容易である。また、上記第１の基礎組立体は、例えば上記被支持物の上記取り付け部位が極めて多数な場合であっても、施工が非常に容易となる。さらに、上記第１の基礎組立体は、例えば上記被支持物が板状部材で例示されるように受圧面積が大きな物体である場合であっても、上記外力を受けても上記被支持物が上記基礎構造物と共に上記外力を受ける前の位置から沈み込み又は浮き上がるおそれが少ない。
【００１７】
本発明の上記第２の基礎組立体により、上記第１の基礎組立体の一例として比較的簡単な構成の上記接続部材を備えた上記基礎組立体を示すことができた。
【００１８】
本発明の上記第１の完成構造物は、施工が容易であり、例えば上記被支持物の上記取り付け部位が極めて多数な場合であっても施工が非常に容易となり、例えば上記被支持物が板状部材で例示されるように受圧面積が大きな物体である場合であっても上記外力を受けても上記杭が抜けるおそれが少なく、上記被支持物が上記基礎構造物と共に上記外力を受ける前の位置から沈み込み又は浮き上がるおそれが少ない。
【００１９】
本発明の上記第２の完成構造物は、施工が容易であり、例えば多数の太陽電池パネルを並べて一連にして施工する場合のように上記被支持物の上記取り付け部位が極めて多数な場合であっても施工が非常に容易となり、上記被支持物が板状部材であって受圧面積が大きな物体である上記太陽電池パネルを備えていても上記外力を受けても上記杭が抜けるおそれが少なく、上記被支持物が上記基礎構造物と共に上記外力を受ける前の位置から沈み込み又は浮き上がるおそれが少ない。
【図面の簡単な説明】
【００２０】
【図１】図１は、本発明の第１実施形態の完成構造物を示す斜視図である。土地の表現は省略している。
【図２】図２は、上記第１実施形態における一つの上記基礎構造物とその周囲を示した拡大斜視図である。
【図３】図３は、上記第１実施形態における一つの上記基礎構造物とその周囲を示した拡大側面図である。
【図４】図４は、上記第１実施形態における一つの上記基礎構造物とその周囲を示した拡大正面図である。
【図５】図５は、上記第１実施形態における一つの上記基礎構造物とその周囲を支柱を切断して示す拡大平面図である。
【図６】図６は、上記第１実施形態および第２実施形態の完成構造物で用いた一つの上記基礎構造物とその周囲を支柱又は梁を分離して示す拡大斜視図である。
【図７】図７は、上記第１実施形態および上記第２実施形態の完成構造物で用いた一つの上記基礎構造物とその周囲を支柱又は梁を分離して示す拡大斜視図である。
【図８】図８は、上記第１実施形態および上記第２実施形態の完成構造物で用いた一つの上記基礎構造物とその周囲を支柱又は梁を分離して示す拡大平面図である。
【図９】図９は、本発明の上記第２実施形態の完成構造物を示す斜視図である。土地の表現は省略している。
【図１０】図１０は、上記第２実施形態における一つの上記基礎構造物とその周囲を示した拡大斜視図である。
【図１１】図１１は、上記第２実施形態における一つの上記基礎構造物とその周囲を示した拡大側面図である。
【図１２】図１２は、上記第２実施形態における一つの上記基礎構造物とその周囲を示した拡大正面図である。
【図１３】図１３は、上記第２実施形態における一つの上記基礎構造物とその周囲を示した拡大平面図である。太陽電池パネル等の表現は省略している。
【発明を実施するための形態】
【００２１】
図６ないし図８は、本発明の基礎組立体の第１の実施形態を示し、図１ないし図５は、上記基礎組立体を用いて組み立てた完成構造物の第１の実施形態を示す。上記基礎組立体は、基礎構造物１０と、この基礎構造物１０に嵌挿されることになる複数の杭２０とを備えており、上記基礎構造物１０は接続部材３０を備えている。
【００２２】
図６ないし図８に示すように、上記基礎構造物１０は、塊状に形成されている。この実施形態の場合、上記基礎構造物１０は球体を多面で面取りした形状に形成されている。この実施形態の場合、上記基礎構造物１０は中に材料が詰まっているが、中空に形成してもよい。この実施形態の場合、上記基礎構造物１０はコンクリートに樹脂繊維又は鋼繊維を混入したものを固めて型で成型しているが、上記基礎構造物は、例えば金属、樹脂、又はその他の材料によって形成してもよい。上記基礎構造物１０には、二以上の貫通孔１２が貫通している。この実施形態の場合、四つの上記貫通孔１２が貫通しているが、上記貫通孔の数は二以上であればよい。上記各貫通孔１２は、一端が上記基礎構造物１０の上記高さ方向の一方側の中央部１１の周囲に開口し、他端が上記基礎構造物１０の上記高さ方向の他方側に開口している。上記高さ方向は、図３でいえば、同図を符号が正しくみえる向きにおいて上下方向になる。上記高さ方向は、鉛直方向を含むが上記鉛直方向と角度をなすこともある。上記複数の貫通孔１２は、上記高さ方向に対して、０度を超え且つ９０度未満の角度をなしている。また、上記複数の貫通孔１２は、互いに干渉することなく異なる方向に延びている。上記貫通孔１２は、真っ直ぐに形成されている。この実施形態の場合、上記貫通孔１２は、当該貫通孔１２の延びる方向に向いた面による断面が円形になる円筒状に形成されているが、断面形は例えば多角形又はその他の形状であってもよく、また長手方向に沿って断面形状が変化してもよい。上記基礎構造物１０は地面付近に配置される。この配置の形態には、例えば上記基礎構造物１０を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０は、少なくとも上記高さ方向の上記他方側が地中に埋め込まれ、これによって上記基礎構造物１０が地面付近に配置される。図３および図４に、地面つまり土地の表面Ｇを仮想線で示したが、図中の上記基礎構造物１０に対する上記土地の表面Ｇの位置は一例であるに過ぎない。
【００２３】
上記杭２０は、真っ直ぐに形成されている。この実施形態の場合、上記杭２０は、上記貫通孔１２に対応して、上記杭２０の延びる方向に向いた面による断面の外周が円形になるように形成されているが、上記断面の外周は例えば多角形又はその他の形状であってもよく、また長手方向に沿って断面形状が変化してもよい。上記杭２０は鋼で出来ているが、例えば他の金属、樹脂、又はその他の材質で形成してもよい。この実施形態の場合、上記杭２０は中空の棒、つまりパイプであるが、中実の棒に形成してもよい。上記杭２０は、上記基礎構造物１０の上記貫通孔１２に嵌挿されて上記基礎構造物１０の上記高さ方向の上記他方側から出た部分を地中に打ち込まれるが、その際に地中に十分な長さでもって打ち込まれるように長さが設定されている。地中に打ち込まれた上記杭２０は、例えば上記高さ方向からみて上記高さ方向の上記他方側の先端が放射状に延びており、例えば上記高さ方向と直交する幅方向、又は上記高さ方向および上記幅方向の両方と直交する奥行き方向など上記高さ方向と直交する方向からみて上記高さ方向の上記他方側の先端へ向かうにつれて距離があくような逆Ｖ字形に展開している。上記幅方向は、図４でいえば、同図を符号が正しくみえる向きにおいて左右方向になる。上記奥行き方向は、図３でいえば、同図を符号が正しくみえる向きにおいて左右方向になる。この実施形態の場合、上記杭１０における、上記基礎構造物１０から上記高さ方向の上記一方側へ突き出た部分に薄いゴム製のキャップを被せて、上記杭１０の内部への雨水等の浸入を防いでいるが、本発明は、このようなキャップを被せない実施形態を含んでいる。
【００２４】
上記接続部材３０は、上記基礎構造物１０の上記中央部１１に設けられている。そして、上記接続部材３０に被支持物４０が当該被支持物４０の取り付け部位において取り付けられることになる。そして、上記接続部材３０の調整機能により、上記被支持物４０と上記基礎構造物１０との上記高さ方向の位置ずれ、および上記高さ方向に直交する面内での位置ずれを吸収できるように構成されている。
【００２５】
この実施形態の場合、上記接続部材３０が、一端側が上記高さ方向に突出するように他端側が上記基礎構造物１０の上記中央部１１に埋設された第１ボルト３１と、上記高さ方向に向いており、上記第１ボルト３１が貫通する第１長孔３２ａが設けられた第１板３２と、上記第１板３２の上記高さ方向の両側で上記第１ボルト３１に嵌まる第１ナット３３および第２ナット３４と、上記高さ方向に向いており、上記第１板３２よりも上記基礎構造物１０から遠い側に配置されて上記第１板３２に接続され、上記被支持物４０の上記取り付け部位と共締めすることになる共締めボルト３６および共締めナット３７のうち上記共締めボルト３６が通る第２長孔３５ａが設けられた第２板３５とを備えている。そして、上記第１長孔３２ａの長手方向と、上記第２長孔３５ａの長手方向とが立体的に交差するように設けられている。ここでは、上記第１長孔３２ａの上記長手方向が上記幅方向となるように形成され、上記第２長孔３５ａの上記長手方向が上記奥行き方向となるように形成されている。よって、上記第１ナット３３および上記第２ナット３４を互いに接近する方へ締めることにより、上記第１ナット３３および上記第２ナット３４によって上記第１板３２の上記第１長孔３２ａの周縁部を所定圧力でもって挟んで保持すれば、上記基礎構造物１０に上記接続部材３０が保持される。そして、上記第１ボルト３１に対する上記第１ナット３３および上記第２ナット３４の上記高さ方向の位置を調整すれば、上記被支持物４０と上記基礎構造物１０との上記高さ方向の位置ずれが吸収される。また、上記第１ボルト３１に対する上記第１長孔３２ａの上記長手方向に沿った嵌まり位置と、上記被支持物４０の上記取り付け部位と共締めされる上記共締めボルト３６に対する上記第２長孔３５ａの上記長手方向に沿った嵌まり位置を調整すれば、上記被支持物４０と上記基礎構造物１０との上記高さ方向に直交する面内での位置ずれが吸収される。上記第１長孔３２ａの上記長手方向と、上記第２長孔３５ａの上記長手方向とが立体的に又は平面上で交差しておればよく、上記二つの長手方向が直交していなくてもよい。この実施形態によって上記第１長孔、又は上記第２長孔の上記長手方向の向きが限定解釈されることはない。
【００２６】
次に、上記基礎組立体を用いた上記完成構造物を説明する。図１ないし図５に示すように、複数の上記基礎構造物１０が地面付近にそれぞれ配置されており、上記複数の杭２０が上記各基礎構造物１０の上記各貫通孔１２にそれぞれ嵌挿されて地中に打ち込まれている。上記配置の形態には、例えば上記基礎構造物１０を、その少なくとも一部が地中に埋め込まれるように配置する、上記基礎構造物１０を地面に置く、上記基礎構造物１０を土地から浮かせて配置する、などの形態がある。この実施形態の場合、上記基礎構造物１０は、少なくとも上記高さ方向の上記他方側が地中に埋め込まれ、これによって上記基礎構造物１０が地面付近に配置される。上記被支持物４０における上記複数の接続部材３０への上記複数の取り付け部位が上記高さ方向に揃っている。上記複数の基礎構造物１０のうち、対応する上記取り付け部位とのずれがある上記基礎構造物１０では、上記接続部材３０の調整機能により、上記被支持物４０と上記基礎構造物１０との上記高さ方向の位置ずれ、および上記高さ方向に直交する面内での位置ずれのうち少なくとも一つの位置ずれを吸収している。本発明で、この高さ方向に直交する面内での位置ずれというときには、例えば上記幅方向、又は上記奥行き方向のように上記の面に含まれる方向に沿った位置ずれも含まれる。
【００２７】
この実施形態の場合、上記被支持物４０は太陽電池発電装置である。この太陽電池発電装置は、太陽光発電を行う板状の太陽電池パネル４１と、この太陽電池パネル４１の上記高さ方向の上記他方側に配置され、上記太陽電池パネル４１を支持する支持構造４２とを備えている。上記支持構造４２は、縦桟および横桟を有して上記太陽電池パネル４１の上記高さ方向の上記他方側に配置されて上記太陽電池パネル４１を載置する架台４２ａと、この架台４２ａの上記高さ方向の上記他方側に配置されると共に上記高さ方向に延びて上記架台４２ａを支える複数の支柱４２ｂと、上記幅方向、又は上記奥行き方向など上記高さ方向と直交する方向に延びて上記支柱同士を連結する連結部材４２ｃとを備えている。上記各支柱４２ｂの上記高さ方向の上記他方側の端部には、上記高さ方向に向いた底板４２ｂａがそれぞれ設けられており、この各底板４２ｂａに上記高さ方向に貫通する共締め孔４２ｂｂが設けられている。この共締め孔４２ｂｂは上記幅方向を長手方向とする長孔に形成されているが単純な孔に形成してもよい。そして、上記各支柱４２ｂの上記共締め孔４２ｂｂと、対応する上記各基礎構造物１０の上記接続部材３０の上記第２板３５の上記第２長孔３５ａとに上記共締めボルト３６が通されて当該共締めボルト３６に上記共締めナット３７が嵌められている。上記複数の取り付け部位は上記支持構造４２にある。すなわち、上記支持構造４２の上記複数の支柱４２ｂの上記底板４２ｂａが上記複数の取り付け部位に相当している。より厳密にいえば、上記底板４２ｂａの上記高さ方向の上記他方側の面が上記複数の取り付け部位に相当する。そして、上記複数の基礎構造物１０のうち、対応する上記取り付け部位である上記底板４２ｂａとのずれがある上記基礎構造物１０では、上記接続部材３０の調整機能により、上記被支持物４０と上記基礎構造物１０との上記高さ方向の位置ずれ、および上記高さ方向に直交する面内での位置ずれのうち少なくとも一つの位置ずれを吸収している。
【００２８】
したがって、上記基礎組立体を用いて上記完成構造物を組み立てる場合、複数の上記基礎構造物１０を、例えば少なくとも一部を地中に埋め込み、地面に置き、又は土地から浮かせるなどして地面付近にそれぞれ配置し、上記複数の杭２０を上記各基礎構造物１０の上記各貫通孔１２にそれぞれ嵌挿して地中に打ち込み、上記基礎構造物１０を上記土地に固定する。そのとき、上記複数の基礎構造物１０の上記高さ方向の位置、および上記高さ方向に直交する面内での位置を出来るだけ揃えておく。一方、上記被支持物４０の複数の取り付け部位の上記高さ方向の位置、および上記高さ方向に直交する面内での位置は、既に上記複数の基礎構造物１０の上記高さ方向、および上記高さ方向に直交する面内での位置の揃い方よりも高い精度で揃っているものとする。そして、上記被支持物４０を上記複数の取り付け部位で上記複数の基礎構造物１０の上記複数の接続部材３０にそれぞれ取り付ける。その場合、上記基礎構造物１０を上記土地に固定したときに上記基礎構造物１０と当該基礎構造物１０に対応する上記被支持物４０の上記取り付け部位とがずれていても、上記接続部材３０などの調整機能により、上記被支持物４０と上記基礎構造物１０との上記高さ方向の位置ずれ、および上記高さ方向に直交する面内での位置ずれのうち少なくとも一つの位置ずれを吸収することができる。よって、上記被支持物４０を、その構成部材に切断などの加工を行うことなく上記基礎構造物１０に取り付けることができるので、施工が容易である。また、例えば上記被支持物４０の上記被支持物の上記取り付け部位がが極めて多数な場合であっても、施工が非常に容易となる。この実施形態の完成構造物は、多数の太陽電池パネル４１を並べて一連にして施工する場合には、まさに上記被支持物４０の上記支柱４２ｂが極めて多数になるので、上記構成を採用することによって施工が非常に容易となる。さらに、例えば上記被支持物４０が板状部材で例示されるように受圧面積が大きな物体である場合であっても、上記基礎構造物１０を貫通して異なる方向に延びる二以上の杭２０が地中に打ち込まれているので、例えば風、水などの圧力によりあらゆる方向から上記外力を受けても上記杭が抜けるおそれが少なく、上記被支持物４０が上記基礎構造物１０と共に上記外力を受ける前の位置から沈み込み又は浮き上がるおそれが少ない。この実施形態の完成構造物は、上記太陽電池パネル４１が、まさに板状部材のように受圧面積が大きな物体であるので、この効果を得ることができる。
【００２９】
本発明の上記接続部材は、上記基礎構造物の上記中央部に設けられ、被支持物が取り付けられることになる部材であって、その調整機能により、上記被支持物と上記基礎構造物との上記高さ方向の位置ずれ、および上記高さ方向に直交する面内での位置ずれを吸収できるように構成されておればよい。したがって、上記実施形態のように上記長孔を利用した位置調整構造に限らず、例えば接続部材を構成する特定部材に設けたボルト孔をボルトが通る構造において、上記ボルトのネジ部の断面形よりも上記ボルト孔を大きめに設けることにより、上記ボルトに対する上記特定部材の位置を調整し、その後に上記ボルトを締めることで位置を調整可能にするようにした構造を全て含んでいる。そのような種々の実施形態のなかで、上記第１の実施形態の基礎組立体の上記接続部材は、一端側が上記高さ方向に突出するように他端側が上記基礎構造物１０の上記中央部１１に埋設された第１ボルト３１と、上記高さ方向に向いており、上記第１ボルト３１が貫通する第１長孔３２ａが設けられた第１板３２と、上記第１板３２の上記高さ方向の両側で上記第１ボルト３１に嵌まる第１ナット３３および第２ナット３４と、上記高さ方向に向いており、上記第１板３２よりも上記基礎構造物１０から遠い側に配置されて上記第１板３２に接続され、上記被支持物４０の取り付け部位と共締めすることになる共締めボルト３６および共締めナット３７のうち上記共締めボルト３６が通る第２長孔３５ａが設けられた第２板３５とを備え、上記第１長孔３２ａの上記長手方向と上記第２長孔３５ａの上記長手方向とが立体的に交差するように設けられている。このようにすれば、上記第１ナット３３および上記第２ナット３４により上記第１板３２の上記第１長孔３２ａの周縁部を挟んで保持すれば、上記基礎構造物１０に上記接続部材３０が保持される。そして、上記第１ボルト３１に対する上記第１ナット３３および上記第２ナット３４の上記高さ方向の位置を調整すれば、上記被支持物４０と上記基礎構造物１０との上記高さ方向の位置ずれが吸収される。また、上記第１ボルト３１に対する上記第１長孔３２ａの上記長手方向に沿った嵌まり位置と、上記被支持物４０の上記取り付け部位と共締めされる上記共締めボルト３６に対する上記第２長孔３５ａの上記長手方向に沿った嵌まり位置を調整すれば、上記被支持物４０と上記基礎構造物１０との上記高さ方向に直交する面内での位置ずれが吸収される。これによって、本発明の上記基礎組立体の一例として比較的簡単な構成の上記接続部材を備えた上記基礎組立体を示すことができた。
【００３０】
本発明の上記完成構造物は、複数の上記基礎構造物が地面付近にそれぞれ配置されており、上記複数の杭が上記各基礎構造物の上記各貫通孔にそれぞれ嵌挿されて地中に打ち込まれており、上記被支持物における上記複数の接続部材への上記複数の取り付け部位が上記高さ方向に揃っており、上記複数の基礎構造物のうち、対応する上記取り付け部位とのずれがある上記基礎構造物では、上記接続部材の調整機能により、上記被支持物と上記基礎構造物との上記高さ方向の位置ずれ、および上記高さ方向に直交する面内での位置ずれのうち少なくとも一つの位置ずれを吸収している完成構造物であればよい。よって、上記被支持物が特定の物に限定されることはなく、板状物に限定されることはない。また、上記被支持物の上記取り付け部位は、例えば上記被支持物を構成する部材の部位、又は上記被支持物の部分などであればよい。そのような種々の実施形態のなかで、上記第１の実施形態の完成構造物は、上記被支持物４０が、太陽光発電を行う板状の太陽電池パネル４１と、この太陽電池パネル４１の上記高さ方向の上記他方側に配置され、上記太陽電池パネル４１を支持する支持構造４２とを備えた太陽電池発電装置であり、上記複数の取り付け部位が上記支持構造４２にある完成構造物である。このようにすれば、例えば、多数の太陽電池パネル４１を並べて一連にして施工する場合などのように、上記支持構造４２における上記各基礎構造物１０の上記接続部材３０への複数の上記取り付け部位が極めて多数になったときでも、施工が非常に容易となる。上記被支持物４０が、板状部材であって受圧面積が大きな物体である上記太陽電池パネル４１を備えているが、上記基礎構造物１０を貫通して異なる方向に延びる二以上の杭２０が地中に打ち込まれているので、例えば風、水などの圧力によりあらゆる方向から上記外力を受けても上記杭が抜けるおそれが少なく、上記被支持物４０が上記基礎構造物１０と共に上記外力を受ける前の位置から沈み込み又は浮き上がるおそれが少ない。
【００３１】
次に、本発明の上記完成構造物の第２の実施形態を図９ないし図１３により説明する。この完成構造物は、上記第１の実施形態の基礎組立体と同一の基礎組立体を用いて組み立てている。この第２の実施形態の完成構造物には上記第１の実施形態、及びその変形例の基礎組立体、および完成構造物の構成をそのまま引用し、第１の実施形態、及びその変形例の完成構造物の構成と異なる構成について追加的に説明する。ここでは上記第１の実施形態、及びその変形例の基礎組立体、および完成構造物で用いた符号をそのまま用いて説明する。第２の実施形態の完成構造物の場合、上記被支持物４０は、太陽光発電を行う板状の太陽電池パネル４１と、この太陽電池パネル４１の上記高さ方向の上記他方側に配置され、上記太陽電池パネル４１を支持する支持構造４２とを備えた太陽電池発電装置である点で上記第１の実施形態の完成構造物と同じであるが、上記支持構造４２の構成が上記第１の実施形態の完成構造物と異なっている。すなわち、第２の実施形態の完成構造物の場合、上記支持構造４２は、縦桟および横桟を有して上記太陽電池パネル４１の上記高さ方向の上記他方側に配置されて上記太陽電池パネル４１を載置する架台４２ａと、この架台４２ａの上記高さ方向の上記他方側に配置されると共に上記高さ方向に延びて上記架台４２ａを支える複数の支柱４２ｂと、上記高さ方向と直交する方向に延びて上記支柱同士を連結する連結部材４２ｃとを備えると共に、さらに梁４２ｄを備えている。この梁４２ｄは、上記複数の支柱４２ｂの上記高さ方向の上記他方側に配置され、上記複数の支柱４２ｂの上記高さ方向の上記他方側の端部を受け止めている。上記各支柱４２ｂの上記高さ方向の上記他方側の端部には、上記高さ方向に向いた底板４２ｂａがそれぞれ設けられており、この各底板４２ｂａが上記梁４２ｄにボルト止めされている。上記梁４２ｄには上記高さ方向に貫通する共締め孔４２ｄａが設けられている。この共締め孔４２ｄａは上記幅方向を長手方向とする長孔に形成されているが単純な孔に形成してもよい。そして、上記梁４２ｄの上記共締め孔４２ｄａと、対応する上記各基礎構造物１０の上記接続部材３０の上記第２板３５の上記第２長孔３５ａとに上記共締めボルト３６が通されて当該共締めボルト３６に上記共締めナット３７が嵌められている。上記複数の取り付け部位は上記支持構造４２にある。すなわち、上記支持構造４２の上記梁４２ｄにおける上記高さ方向の上記他方側に間隔をあけて設けられた複数の支持部位が上記複数の取り付け部位に相当している。より厳密にいえば、上記支持部位における上記高さ方向の上記他方側の面が上記複数の取り付け部位に相当する。そして、上記複数の基礎構造物１０のうち、対応する上記取り付け部位である上記梁４２ｄとのずれがある上記基礎構造物１０では、上記接続部材３０の調整機能により、上記被支持物４０と上記基礎構造物１０との上記高さ方向の位置ずれ、および上記高さ方向に直交する面内での位置ずれのうち少なくとも一つの位置ずれを吸収している。上記第２の実施形態の完成構造物によっても、上記第１の実施形態の完成構造物と同様の作用および効果を得ることができる。この実施形態では、長手方向にみてＣ字形に形成された梁４２ｄを用いたが、例えば長手方向にみてＨ形、四角形、又はその他の形状に形成された梁などを用いてもよい。
【００３２】
本発明の上記基礎組立体、およびそれを用いた上記完成構造物は、以上の実施形態、および変形例の特徴を組み合わせた実施形態を含んでいる。さらに、以上の実施形態、および変形例は本発明の上記基礎組立体、およびそれを用いた上記完成構造物のいくつかの例を示したに過ぎない。したがって、これらの実施形態、および変形例の記載によって本発明の上記基礎組立体、およびそれを用いた上記完成構造物が限定解釈されることはない。
【符号の説明】
【００３３】
１０  基礎構造物
１１  中央部
１２  貫通孔
２０  杭
３０  接続部材
３１  第１ボルト
３２  第１板
３２ａ  第１長孔
３３  第１ナット
３４  第２ナット
３５  第２板
３５ａ  第２長孔
３６  共締めボルト
３７  共締めナット
４０  被支持物
４１  太陽電池パネル
４２  支持構造
４２ｂ  支柱
４２ｄ  梁
G  土地の表面
【図１】
2014015826.tif 000003
【図２】
2014015826.tif 000004
【図３】
2014015826.tif 000005
【図４】
2014015826.tif 000006
【図５】
2014015826.tif 000007
【図６】
2014015826.tif 000008
【図７】
2014015826.tif 000009
【図８】
2014015826.tif 000010
【図９】
2014015826.tif 000011
【図１０】
2014015826.tif 000012
【図１１】
2014015826.tif 000013
【図１２】
2014015826.tif 000014
【図１３】
2014015826.tif 000015